(57)【要約】      （修正有）【課題】改良されたスライドレールアセンブリ同期システム、スライドレールアセンブリ及びスライドレールアセンブリを駆動するための方法を提供する。【解決手段】スライドレールアセンブリは第１のレール３０と、第１のレールに対して可動な第２のレール３２と、弾性部材と、弾性部材を一時的に固定するように構成されたロック部材と、同期装置３６，２００とを含む。同期装置は第２のレールに接続されるベースと、駆動部材と、ベースと、スリーブと、同期ロッド３８とを含む。取り付けベースは同期ロッドに接続されるスリーブを取り付けるように構成され、第２のレールが第１のレールに対して引っ込め位置から過剰押込位置に第１の方向に沿って動かされた場合、第２のレールを第２の方向に沿って動かすよう駆動するための弾性力を弾性部材が放つようにロック部材は弾性部材を解放し、駆動部材はスリーブ及び同期ロッドをさらに駆動する。【選択図】図２
2020192306.tif 000002
【特許請求の範囲】
【請求項１】
家具システムに適用可能な同期システムであって、当該同期システムは、
第１のスライドレールアセンブリ及び第２のスライドレールアセンブリであって、該第１のスライドレールアセンブリ及び該第２のスライドレールアセンブリのそれぞれは、第１のレールと、該第１のレールに対して長手方向に可動な第２のレールとを含み、該第１のスライドレールアセンブリ及び該第２のスライドレールアセンブリはさらに第１のオープン機構及び第２のオープン機構をそれぞれさらに含み、該第１のオープン機構及び該第２のオープン機構のそれぞれは弾性部材と、該弾性部材を固定するように構成されたロック部材とを含む、第１のスライドレールアセンブリ及び第２のスライドレールアセンブリと、
前記第１のスライドレールアセンブリの第２のレールに配置される第１の同期装置であって、該第１の同期装置は駆動部材を含む、第１の同期装置と、
前記第２のスライドレールアセンブリの第２のレールに配置される第２の同期装置であって、該第２の同期装置は作用部材を含む、第２の同期装置と、
前記第１の同期装置と前記第２の同期装置との間で可動に配置される同期ロッドと、
を含み、
前記第１のスライドレールアセンブリの第２のレールが前記第１のスライドレールアセンブリの第１のレールに対して引っ込め位置から過剰押込位置に第１の方向に沿って動かされた場合、前記第１のオープン機構のロック部材は、前記第１のスライドレールアセンブリの第２のレールが前記第１のスライドレールアセンブリの第１のレールに対して前記過剰押込位置から第２の方向に沿って動くよう駆動させるための第１の弾性力を前記第１のオープン機構の弾性部材が放つように前記弾性部材を解放するように構成され、
前記第１のスライドレールアセンブリの第２のレールが前記過剰押込位置から前記第２の方向に沿って所定の距離動かされた場合、前記第１の同期装置の駆動部材は、前記第２の同期装置の作用部材をさらに動かすために前記同期ロッドをさらに回転駆動させるために駆動され、それにより前記第２のオープン機構のロック部材は、前記第２のスライドレールアセンブリの第２のレールが前記第２の方向に沿って動くよう駆動させるための第２の弾性力を前記第２のオープン機構の弾性部材が放つように前記第２のオープン機構の弾性部材を解放するように構成され、
前記第２の方向は前記第１の方向と反対である、同期システム。
【請求項２】
前記第１のスライドレールアセンブリは保持部材及び接続ベースをさらに含み、該保持部材は前記第１のスライドレールアセンブリの第２のレールに固定取り付けされ、該接続ベースは該保持部材に固定され、
前記接続ベースは係合解除部及び係合部を含み、該係合解除部は長手方向に配置され、該係合部は該係合解除部に対して屈曲され、
前記第１のオープン機構のロック部材は、前記接続ベースの係合部を介して前記第１のオープン機構の弾性部材を固定するように構成され、前記第１のオープン機構のロック部材は前記接続ベースの係合解除部を介して前記第１のオープン機構の弾性部材を解放するように構成されている、請求項１に記載の同期システム。
【請求項３】
前記接続ベースには空間が形成され、
前記第１のスライドレールアセンブリは前記接続ベースの空間に収容されるスライドレール部をさらに含み、該スライドレール部及び前記接続ベースは互いに対して長手方向に移動可能に構成され、
前記スライドレール部は補助部材を備え、該補助部材は第１の接触部を含み、
前記第１の同期装置はベースと、作動部材と、第１の弾性部材とをさらに含み、該ベースは前記第１のスライドレールアセンブリの第２のレールに取り付けられ、前記駆動部材は該ベースに可動に取り付けられ、
前記作動部材は第２の接触部を含み、前記第１の弾性部材は前記作動部材を弾性的に押圧するように構成され、
前記第１のスライドレールアセンブリの第２のレールを前記第１の方向に沿って前記引っ込め位置から前記過剰押込位置に動かすプロセスの間、前記作動部材の第２の接触部は作用力を生成するために前記補助部材の第１の接触部に接触するように構成され、前記作動部材は該作用力に対応して前記駆動部材に対して第１の所定の位置から第２の所定の位置に横方向に移動して前記第１の弾性部材に弾性力を蓄積させ、
前記第１のスライドレールアセンブリの第２のレールが前記過剰押込位置に動かされた場合、前記作動部材の第２の接触部は前記補助部材の第１の接触部を横断するように構成され、前記作動部材は前記第１の弾性部材により放たれた弾性力に対応して前記第１の所定の位置に戻るように構成され、
前記第１のスライドレールアセンブリの第２のレールが前記第２の方向に沿って前記過剰押込位置から前記所定の距離動かされた場合、前記第１の所定の位置にある前記作動部材は、前記同期ロッドをさらに駆動して回転させるため前記第１の同期装置の駆動部材を駆動し初期状態から動かすために前記補助部材と接触するように構成されている、請求項２に記載の同期システム。
【請求項４】
前記第１の同期装置の駆動部材は前記ベースに枢結され、
前記第１の同期装置は第２の弾性部材を含み、
前記第１の同期装置の駆動部材は前記第２の弾性部材の弾性力に対応して初期状態に戻るように構成され、
前記第１の同期装置は筐体をさらに含み、該筐体は前記駆動部材の一部を覆うように構成され、該筐体は前記駆動部材が所定の方向に沿って回転するのを防止するように構成されたブロック部を有する、請求項３に記載の同期システム。
【請求項５】
前記ベースは第１の部分と、該第１の部分に対して屈曲された第２の部分とを含み、前記第１の同期装置の駆動部材は前記ベースの第１の部分に枢結され、
前記駆動部材は前記作動部材の少なくとも一部を収容するように構成された収容室を有し、
前記第１の同期装置は取り付けベース及びスリーブをさらに含み、該取り付けベースは前記ベースの第２の部分に配置され、前記同期ロッドの端部は該スリーブを介して前記取り付けベースに回転可能に取り付けられる、請求項４に記載の同期システム。
【請求項６】
第１のレールと、
前記第１のレールに対して長手方向に可動な第２のレールと、
弾性部材と、該弾性部材を一時的に固定するように構成されたロック部材とを含むオープン機構と、
同期装置と、
を含むスライドレールアセンブリであって、
前記同期装置は、
当該スライドレールアセンブリの第２のレールに接続されるベースであって、該ベースは第１の部分及び第２の部分を含む、ベースと、
前記ベースの第１の部分に可動に取り付けられる駆動部材と、
前記ベースの第２の部分に配置される取り付けベースと、
前記取り付けベースに回転可能に取り付けられるスリーブと、
前記スリーブに接続される同期ロッドと、
を含み、
前記第２のレールが前記第１のレールに対して引っ込め位置から過剰押込位置に第１の方向に沿って動かされた場合、前記ロック部材は、前記第２のレールを第２の方向に沿って駆動するための弾性力を前記弾性部材が放つようにするために前記弾性部材を解放するように構成され、
前記第２のレールが前記第２の方向に沿って所定の距離動かされた場合、前記駆動部材は、前記同期ロッドが回転駆動するよう前記スリーブをさらに回転駆動させるために駆動される、スライドレールアセンブリ。
【請求項７】
保持部材及び接続ベースをさらに含み、該保持部材は前記第２のレールに固定取り付けされ、該接続ベースは該保持部材に固定され、
前記接続ベースは係合解除部及び係合部を含み、該係合解除部は長手方向に配置され、該係合部は該係合解除部に対して屈曲され、
前記ロック部材は、前記接続ベースの係合部を介して前記弾性部材を固定するように構成され、前記ロック部材は前記接続ベースの係合解除部を介して前記弾性部材を解放するように構成されている、請求項６に記載のスライドレールアセンブリ。
【請求項８】
前記接続ベースには空間が形成され、
前記スライドレールアセンブリは前記接続ベースの空間に収容されるスライドレール部をさらに含み、該スライドレール部及び前記接続ベースは互いに対して長手方向に移動可能に構成され、
前記スライドレール部は補助部材を備え、該補助部材は第１の接触部を含み、
前記同期装置は作動部材と、第１の弾性部材とをさらに含み、該作動部材は前記駆動部材に対して可動であり、
前記作動部材は第２の接触部を含み、前記第１の弾性部材は前記作動部材を弾性的に押圧するように構成され、
前記第２のレールを前記引っ込め位置から前記過剰押込位置に前記第１の方向に沿って動かすプロセスの間、前記作動部材の第２の接触部は作用力を生成するために前記補助部材の第１の接触部に接触するように構成され、前記作動部材は該作用力に対応して前記駆動部材に対して第１の所定の位置から第２の所定の位置に移動して前記第１の弾性部材に弾性力を蓄積させ、
前記第２のレールが前記過剰押込位置に動かされた場合、前記作動部材の第２の接触部は前記補助部材の第１の接触部を横断するように構成され、前記作動部材は前記第１の弾性部材により放たれた弾性力に対応して前記第１の所定の位置に戻るように構成され、
前記第２のレールが前記第２の方向に沿って前記過剰押込位置から前記所定の距離動かされた場合、前記第１の所定の位置にある前記作動部材は、前記スリーブを介して前記同期ロッドをさらに駆動して回転させるため前記駆動部材を駆動し初期状態から動かすために前記補助部材と接触するように構成されている、請求項７に記載のスライドレールアセンブリ。
【請求項９】
前記駆動部材は前記ベースに対して枢結され、
前記同期装置は第２の弾性部材をさらに含み、
前記駆動部材は前記第２の弾性部材の弾性力に対応して初期状態に戻るように構成され、
前記同期装置は筐体をさらに含み、該筐体は前記駆動部材の一部を覆うように構成され、該筐体は前記駆動部材が所定の方向に沿って回転するのを防止するように構成されたブロック部を有し、
前記ベースの第２の部分は前記ベースの第１の部分に対して実質的に垂直に屈曲され、
前記駆動部材は前記ベースの第１の部分に枢結され、
前記駆動部材は前記作動部材の少なくとも一部を収容するように構成された収容室を有する、請求項８に記載のスライドレールアセンブリ。
【請求項１０】
スライドレールアセンブリのための駆動方法であって、当該方法は、
第１のスライドレールアセンブリ及び第２のスライドレールアセンブリを提供するステップであって、該第１のスライドレールアセンブリ及び該第２のスライドレールアセンブリのそれぞれは第１のレールと、該第１のレールに対して可動な第２のレールとを含む、ステップと、
前記第１のスライドレールアセンブリ及び前記第２のスライドレールアセンブリにそれぞれ配置される第１のオープン機構及び第２のオープン機構を提供するステップであって、該第１のオープン機構及び該第２のオープン機構のそれぞれは弾性部材と、該弾性部材を一時的に固定するように構成されたロック部材とを含む、ステップと、
前記第１のスライドレールアセンブリの第２のレールに配置される第１の同期装置を提供するステップであって、該第１の同期装置は駆動部材を含む、ステップと、
前記第２のスライドレールアセンブリの第２のレールに配置される第２の同期装置を提供するステップであって、該第２の同期装置は作用部材を含む、ステップと、
前記第１の同期装置と前記第２の同期装置との間で可動に配置される同期ロッドを提供するステップと、
前記第１のスライドレールアセンブリの第２のレールを引っ込め位置から過剰押込位置に第１の方向に沿って動かすために前記第１のスライドレールアセンブリの第２のレールに力を加えるステップと、
前記第１のスライドレールアセンブリの第２のレールを前記第１の方向と反対の第２の方向に沿って動かすよう駆動させるための第１の弾性力を前記第１のオープン機構の弾性部材が放つようにするために、前記第１のスライドレールアセンブリの第２のレールが前記過剰押込位置に位置することに対応して前記第１のオープン機構のロック部材が前記第１のオープン機構の弾性部材を解放するステップと、
前記第２のスライドレールアセンブリの第２のレールを前記第２の方向に沿って駆動するための第２の弾性力を前記第２のオープン機構の弾性部材が放つようにするため前記第２の同期装置のロック部材が前記第２のオープン機構の弾性部材を解放するために前記第１のスライドレールアセンブリの第２のレールが前記第２の方向に沿って所定の距離動かされた場合に、前記第１の同期装置の駆動部材が前記同期ロッドを回転駆動して前記第２のオープン機構の作用部材をさらに動かすステップと、
を含む、方法。
【発明の詳細な説明】
【技術分野】
【０００１】
本発明はスライドレールアセンブリに関し、より具体的には同期システム、スライドレールアセンブリ及びスライドレールアセンブリのための駆動方法に関する。
【背景技術】
【０００２】
一般に、家具システムにおいては、一対のスライドレールアセンブリを介して引き出しをキャビネットに対して開けるか又は引っ込めることができる。キャビネットに対して引き出しを引っ込められた位置から開くのを支援可能な製品は現在の市場で既に提供されており、そのような製品は所謂プッシュオープン製品である。具体的には、スライドレールアセンブリの可動レールが固定レールに対して引っ込められた位置に位置している場合、ユーザーは可動レールにより保持された引き出しを押して可動レールを駆動させ、キャビネットに固定された固定レールに対して引っ込められた位置から過剰押込（over-pressing）位置に閉じる方向に沿って動かすことができ、可動レールが過剰押込位置に動かされた場合、スライドレールアセンブリのオープン機構は、可動レール及び引き出しを駆動して開く方向に沿って開くようにするために弾性部材が弾性力を放つように弾性部材を解放するように構成されている。
【０００３】
さらに、特許文献１にはスライドレールアセンブリのための同期システムが開示されている。同期システムは、前述のプッシュオープン技術を備えたスライドレールアセンブリに適用可能である。さらに、同期システムは第１のスライドレールアセンブリ及び第２のスライドレールアセンブリに配置される。同期システムは第１の同期装置、第２の同期装置及び同期ロッドを含む。第１の同期装置は第１のスライドレールアセンブリに配置される。第２の同期装置は第２のスライドレールアセンブリに配置される。同期ロッドは第１の同期装置と第２の同期装置との間で可動に取り付けられる。特許文献１の第１のスライドレールアセンブリの可動レールがユーザーによって押されて、第１のスライドレールアセンブリの固定レールに対して（特許文献１の図１１に示す）引っ込められた位置から（特許文献１の図１３及び図１４に示す）過剰押込位置に閉じる方向に沿って動かされた場合、第１のスライドレールアセンブリの第１のオープン機構のロック部材が駆動され、第１のスライドレールアセンブリの可動レールが開く方向に沿って駆動するための弾性力を第１のスライドレールアセンブリの第１のオープン機構の弾性部材が放つように第１のオープン機構の弾性部材を解放する。
【先行技術文献】
【特許文献】
【０００４】
【特許文献１】米国特許第１０１７２４５９号明細書
【発明の概要】
【発明が解決しようとする課題】
【０００５】
上記のようなスライドレール技術において、ユーザーが第１のスライドレールアセンブリの可動レールを継続的に押した場合、第１のスライドレールアセンブリの可動レールは第１のオープン機構の弾性部材の弾性力によって開く方向に沿って駆動されない。しかしながら、同期ロッドは、第２のスライドレールアセンブリの第２のオープン機構のロック部材が駆動されて第２のオープン機構の弾性部材をさらに解放するように第２のスライドレールアセンブリの第２の同期装置の駆動部材を駆動する。そのため、第２のスライドレールアセンブリの弾性部材は、ユーザーによって押圧される第１のスライドレールアセンブリの可動レールに対して先に第２のスライドレールアセンブリの可動レールが駆動して開く方向に沿って開くように弾性力を放つ。加えて、そのようなスライドレールアセンブリの駆動方法において、第１のスライドレールアセンブリの可動レールが押され、第２のスライドレールアセンブリの弾性部材が駆動されて、第２のスライドレールアセンブリの可動レールを駆動するために弾性力を放った場合、予期しない騒音が生じる。したがって、異なる市場の要求のために、異なるスライドレール同期製品を開発することが重要である。
【０００６】
本発明は、同期システム、スライドレールアセンブリ及びスライドレールアセンブリを駆動するための方法に関する。
【課題を解決するための手段】
【０００７】
本発明の一実施形態によれば、家具システムに適用可能な同期システムは、第１のスライドレールアセンブリと、第２のスライドレールアセンブリと、第１の同期装置と、第２の同期装置と、同期ロッドとを含む。第１のスライドレールアセンブリ及び第２のスライドレールアセンブリのそれぞれは、第１のレールと、該第１のレールに対して長手方向に可動な第２のレールとを含む。第１のスライドレールアセンブリ及び第２のスライドレールアセンブリはさらに第１のオープン機構及び第２のオープン機構をそれぞれさらに含む。第１のオープン機構及び該第２のオープン機構のそれぞれは弾性部材と、該弾性部材を固定する（lock）ように構成されたロック部材とを含む。第１の同期装置は第１のスライドレールアセンブリの第２のレールに配置される。第１の同期装置は駆動部材を含む。第２の同期装置は第２のスライドレールアセンブリの第２のレールに配置される。第２の同期装置は作用部材を含む。同期ロッドは第１の同期装置と第２の同期装置との間で可動に配置される。第１のスライドレールアセンブリの第２のレールが第１のスライドレールアセンブリの第１のレールに対して引っ込め位置から過剰押込位置に第１の方向に沿って動かされた場合、第１のオープン機構のロック部材は、第１のスライドレールアセンブリの第２のレールが第１のスライドレールアセンブリの第１のレールに対して過剰押込位置から第２の方向に沿って動くよう駆動させるための第１の弾性力を第１のオープン機構の弾性部材が放つように弾性部材を解放するように構成されている。第１のスライドレールアセンブリの第２のレールが過剰押込位置から第２の方向に沿って所定の距離動かされた場合、第１の同期装置の駆動部材は、第２の同期装置の作用部材をさらに動かすために同期ロッドをさらに回転駆動させるために駆動され、それにより第２のオープン機構のロック部材は、第２のスライドレールアセンブリの第２のレールが第２の方向に沿って動くよう駆動させるための第２の弾性力を第２のオープン機構の弾性部材が放つように第２のオープン機構の弾性部材を解放するように構成されている。第２の方向は第１の方向と反対である。
【０００８】
本発明の別の実施形態によれば、スライドレールアセンブリは第１のレールと、第２のレールと、オープン機構と、同期装置とを含む。第２のレールは第１のレールに対して長手方向に可動である。オープン機構は弾性部材と、該弾性部材を一時的に固定するように構成されたロック部材とを含む。同期装置はベースと、駆動部材と、取り付けベースと、スリーブと、同期ロッドとを含む。ベースはスライドレールアセンブリの第２のレールに接続される。ベースは第１の部分及び第２の部分を含む。駆動部材はベースの第１の部分に可動に取り付けられる。取り付けベースはベースの第２の部分に配置される。スリーブは取り付けベースに回転可能に取り付けられる。同期ロッドはスリーブに接続される。第２のレールが第１のレールに対して引っ込め位置から過剰押込位置に第１の方向に沿って動かされた場合、ロック部材は、第２のレールを第２の方向に沿って駆動するための弾性力を弾性部材が放つようにするために弾性部材を解放するように構成されている。第２のレールが第２の方向に沿って所定の距離動かされた場合、駆動部材は、同期ロッドが回転駆動するようスリーブをさらに回転駆動させるために駆動される。
【０００９】
本発明の別の実施形態によれば、スライドレールアセンブリのための駆動方法は、第１のスライドレールアセンブリ及び第２のスライドレールアセンブリを提供するステップであって、第１のスライドレールアセンブリ及び該第２のスライドレールアセンブリのそれぞれは第１のレールと、該第１のレールに対して可動な第２のレールとを含む、ステップと、第１のスライドレールアセンブリ及び第２のスライドレールアセンブリにそれぞれ配置される第１のオープン機構及び第２のオープン機構を提供するステップであって、第１のオープン機構及び第２のオープン機構のそれぞれは弾性部材と、該弾性部材を一時的に固定するように構成されたロック部材とを含む、ステップと、第１のスライドレールアセンブリの第２のレールに配置される第１の同期装置を提供するステップであって、該第１の同期装置は駆動部材を含む、ステップと、第２のスライドレールアセンブリの第２のレールに配置される第２の同期装置を提供するステップであって、該第２の同期装置は作用部材を含む、ステップと、第１の同期装置と第２の同期装置との間で可動に配置される同期ロッドを提供するステップと、第１のスライドレールアセンブリの第２のレールを引っ込め位置から過剰押込位置に第１の方向に沿って動かすために第１のスライドレールアセンブリの第２のレールに力を加えるステップと、第１のスライドレールアセンブリの第２のレールを第１の方向と反対の第２の方向に沿って動かすよう駆動させるための第１の弾性力を第１のオープン機構の弾性部材が放つようにするために、第１のスライドレールアセンブリの第２のレールが過剰押込位置に位置することに対応して第１のオープン機構のロック部材が第１のオープン機構の弾性部材を解放するステップと、第２のスライドレールアセンブリの第２のレールを第２の方向に沿って駆動するための第２の弾性力を第２のオープン機構の弾性部材が放つようにするため第２の同期装置のロック部材が第２のオープン機構の弾性部材を解放するために、第１のスライドレールアセンブリの第２のレールが第２の方向に沿って所定の距離動かされた場合に、第１の同期装置の駆動部材が同期ロッドを回転駆動して第２のオープン機構の作用部材をさらに動かすステップと、を含む。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係る家具システムを示す図である。
【図２】図２は、本発明の一実施形態に係る、家具システムの第１のスライドレールアセンブリ及び第２のスライドレールアセンブリに適用可能な同期システムを示す図である。
【図３】図３は、本発明の一実施形態に係る同期装置の分解図である。
【図４】図４は、本発明の一実施形態に係る同期装置を示す図である。
【図５】図５は、本発明の一実施形態に係る同期装置を別の角度で示す図である。
【図６】図６は、本発明の一実施形態に係る初期状態にある同期装置の関連部品を第１の視角で示す図である。
【図７】図７は、本発明の一実施形態に係る初期状態にある同期装置の関連部品を第２の視角で示す図である。
【図８】図８は、本発明の一実施形態に係る、関連部品が初期状態ではなくなるように同期装置に加えられた力を第１の視角で示す図である。
【図９】図９は、本発明の一実施形態に係る、関連部品が初期状態でなくなるよう駆動するために力を受ける同期装置を第２の視角で示す図である。
【図１０】図１０は、本発明の一実施形態に係る、第１のスライドレールアセンブリ、同期装置及びカバー部材を示す分解図である。
【図１１】図１１は、図１０の領域Ａの拡大図である。
【図１２】図１２は、本発明の一実施形態に係る、第１のスライドレールアセンブリ、同期装置及びカバー部材の組み合わせを示す図である。
【図１３】図１３は、図１２の領域Ａの拡大図である。
【図１４】図１４は、本発明の一実施形態に係る、引っ込められた位置に位置する第１のスライドレールアセンブリ及び第２のスライドレールアセンブリ双方の第２のレールを示す図であり、第１のスライドレールアセンブリの第２のレール及び第２のスライドレールアセンブリの第２のレールには同期システムが配置されている。
【図１５】図１５は、図１４の領域Ａの拡大図である。
【図１６】図１６は、本発明の一実施形態に係る、第１のスライドレールアセンブリの第１のレールに対して過剰押込位置に位置する第１のスライドレールアセンブリの第２のレールを示す図である。
【図１７】図１７は、本発明の一実施形態に係る、同期装置の関連部品が動作状態にある状態で第１の方向に沿って過剰押込位置に向かって第１のレールに対して動かされる第１のスライドレールアセンブリの第２のレールを示す部分拡大図である。
【図１８】図１８は、本発明の一実施形態に係る、同期装置の関連部品が別の動作状態にある状態で第１のレールに対して過剰押込位置に位置する第１のスライドレールアセンブリの第２のレールを示す部分拡大図である。
【図１９】図１９は、本発明の一実施形態に係る、同期システムを介して第２の方向に沿って第１のレールに対して動かされる第１のスライドレールアセンブリ及び第２のスライドレールアセンブリの第２のレールを示す図である。
【図２０】図２０は、図１９の領域Ａの拡大図である。
【図２１】図２１は、図１９の領域Ｂの拡大図である。
【発明を実施するための形態】
【００１２】
図１に示すように、家具システム２０は第１のスライドレールアセンブリ２２及び第２のスライドレールアセンブリ２４を含む。さらに、家具システム２０は第１の家具部２６及び第２の家具部２８を含む。第１の家具部２６はキャビネットであり、第２の家具部２８は引き出しであり得るが、本発明はそのような構成に限定されない。第１のスライドレールアセンブリ２２及び第２のスライドレールアセンブリ２４は、第１のスライドレールアセンブリ２２及び第２のスライドレールアセンブリ２４を介して第２の家具部２８を第１の家具部２６に対して容易に動かすことができるように第２の家具部２８を取り付けるように構成されている。
【００１３】
図２に示すように、第２のスライドレールアセンブリ２４の構造上の構成は第１のスライドレールアセンブリ２２の構造上の構成と実質的に同一であるか又は対称的であり、第１のスライドレールアセンブリ２２及び第２のスライドレールアセンブリ２４はそれぞれ第１の家具部２６の両側に位置する。具体的には、第１のスライドレールアセンブリ２２及び第２のスライドレールアセンブリ２４のそれぞれは第１のレール３０（例えば固定レール）と、第１のレール３０に対して長手方向に可動な第２のレール３２（例えば可動レール）とを含む。第１のスライドレールアセンブリ２２及び第２のスライドレールアセンブリ２４のそれぞれは、第１のレール３０と第２のレール３２との間で可動に取り付けられる第３のレール３４（例えば中間レール）をさらに含むことが好ましい。第３のレール３４は第１のレール３０に対する第２のレール３２の移動距離を延ばすように構成されている。第１のレール３０は第１の家具部２６に固定取り付けされ、第２のレール３２は第２の家具部２８を保持するように構成されている（図１を参照されたい）。本発明の一実施形態によれば、第１の同期装置３６及び第２の同期装置２００を含む同期システムが家具システム２０に適用可能である。
【００１４】
第１の同期装置３６は第１のスライドレールアセンブリ２２に、例えば第１のスライドレールアセンブリ２２の第２のレール３２に配置されている。他方、第２の同期装置２００は第２のスライドレールアセンブリ２４に、例えば第２のスライドレールアセンブリ２４の第２のレール３２に配置されている。さらに、同期システムは第１の同期装置３６と第２の同期装置２００との間で可動に配置される同期ロッド３８をさらに含む。同期ロッド３８の第１の端部３８ａ及び第２の端部３８ｂは第１の同期装置３６及び第２の同期装置２００にそれぞれ取り外し可能に取り付けられることが好ましい。
【００１５】
図３、図４及び図５に示すように、第２の同期装置２００の構造上の構成は第１の同期装置３６の構造上の構成と実質的に同一であるか又は対称的である。簡略化のために、第１の同期装置３６のみを説明する。さらに、第１の同期装置３６は駆動部材４０を含む。第１の同期装置３６は、ベース４２、作動部材４４、第１の弾性部材４６、第２の弾性部材４８、筐体５０、取り付けベース５２、スリーブ５４及び作用部材５６をさらに含むことが好ましい。
【００１６】
ベース４２は第１の部分４２ａ及び第２の部分４２ｂを含む。第２の部分４２ｂは第１の部分４２ａに対して実質的に垂直に屈曲されていることが好ましい。
【００１７】
駆動部材４０はベース４２に可動に取り付けられる。本実施形態では、駆動部材４０は第１のシャフト部材５８を通じてベース４２に対して枢結されている。例えば、駆動部材４０は、第１のシャフト部材５８を通じてベース４２の第１の部分４２ａの一方側に（例えば上側に（本発明はそのような構成に限定されない））に枢結されている。駆動部材４０は作動部材４４の少なくとも一部を収容するように構成された収容室４５を有することが好ましい。収容室４５は各スライドレールアセンブリの長手方向に沿って横方向に配置される溝であることが好ましい。
【００１８】
作動部材４４は駆動部材４０に対して可動である。例えば、作動部材４４は、駆動部材４０の収容室４５を通じて駆動部材４０に対して直線的に移動できる。
【００１９】
第１の弾性部材４６は作動部材４４を弾性的に押圧するように構成されている。第１の弾性部材４６は駆動部材４０の収容室４５内に配置され、作動部材４４に弾性力を提供するように構成されている。
【００２０】
第２の弾性部材４８は駆動部材４０に弾性力を提供するように構成されている。具体的には、駆動部材４０は、第２の弾性部材４８の弾性力に対応して初期状態で留まるように構成されている。第２の弾性部材４８は伸縮バネであり、第２の弾性部材４８の２つの端部は駆動部材４０の第１の接続部６０及びベース４２の第２の接続部６２にそれぞれ接続されていることが好ましい。
【００２１】
筐体５０は駆動部材４０の一部を覆うように構成されている。本実施形態では、筐体５０は駆動部材４０の全体のほとんどを覆うが、本発明はこのような構成に限定されない。筐体５０は、駆動部材４０、作動部材４４、第１の弾性部材４６及び第２の弾性部材４８が外的要因（埃又は水分等）によって損傷するのを防止するために、これらの関連部品を少なくとも保護するように構成されていることが好ましい。
【００２２】
取り付けベース５２はベース４２の第２の部分４２ｂに配置されている。本実施形態では、取り付けベース５２は少なくとも１つの接続部材（例えば、第１の接続部材６４ａ及び第２の接続部材６４ｂ）を介してベース４２の第２の部分４２ｂ接続されている。取り付けベース５２には空間６６が形成されていることが好ましい。
【００２３】
スリーブ５４は回転可能に取り付けベース５２に取り付けられている。スリーブ５４はベース部５４ａ及び伸長部５４ｂを含むことが好ましい。ベース部５４ａの底部５４ｃは取り付けベース５２の空間６６内に収容され、伸長部５４ｂは底部５４ｃから離れるようにベース部５４ａから伸びている。同期ロッド３８の第１の端部３８ａは伸長部５４ｂに接続されている。ベース部５４ａの底部５４ｃは駆動部材４０の駆動部４０ａ及び作用部材５６の作用壁５６ａのそれぞれと相互作用するように構成された第１の区画Ｗ１及び第２の区画Ｗ２を有することが好ましい。第１の区画Ｗ１及び第２の区画Ｗ２のそれぞれは突起又は壁であり得るが、本発明はそのような構成に限定されない。
【００２４】
作用部材５６は第２のシャフト部材６８を介してベース４２に対して枢結されている。例えば、作用部材５６は第２のシャフト部材６８を介してベース４２の第１の部分４２ａの他方側（例えば、底部側（本発明はそのような構成に限定されない））枢結されている。そのため、駆動部材４０及び作用部材５６はベース４２の第１の部分４２ａの異なる側に位置している。
【００２５】
図６及び図７に示すように、第１の同期装置３６の駆動部材４０、作動部材４４、第１の弾性部材４６及び第２の弾性部材４８はベース４２の第１の部分４２ａの一方側（例えば図６に示す上側）に位置し、第１の同期装置３６の作用部材５６はベース４２の第１の部分４２ａの他方側（例えば図７に示す下側）に位置する。さらに、駆動部材４０、作動部材４４、第１の弾性部材４６、第２の弾性部材４８、スリーブ５４、同期ロッド３８及び作用部材５６は、力が加えられていない間それぞれ初期状態にある。
【００２６】
図８及び図９に示すように、作動部材４４に力Ｆ（例えば外力又は作用力）が加えられると、駆動部材４０は作動部材４４に加えられた（図８に示す  ）力Ｆに対応して回転方向Ｃに沿って回転駆動され、駆動部材４０の駆動部４０ａは、スリーブ５４及び同期ロッド３８が所定の回転方向Ｋに沿って回転駆動されるようにするためにスリーブ５４の第１の区画Ｗ１を押圧するように構成されている。スリーブ５４が所定の回転方向Ｋに沿って回転されると、スリーブ５４の第２の区画Ｗ２は、（図９に示すように）作用部材５６が対応して回転駆動されるように作用部材５６の作用壁５６ａに当接するように構成されている。
【００２７】
さらに、駆動部材４０が（例えば図８に示す）力Ｆに対応して回転方向Ｃに沿って回転されると、第２の弾性部材４８は弾性力を蓄積するように構成されている。もはや力Ｆが加えられていない場合、駆動部材４０は（例えば図６に示すように）第２の弾性部材４８の弾性力に対応して初期状態に戻る。加えて、図６に示すように、筐体５０は、駆動部材４０が別の回転方向（即ち、回転方向Ｃとは反対の方向）に沿って回転するのを防止するように構成されたブロック部７０（例えば壁）を有する。
【００２８】
図１０に示すように、第１のスライドレールアセンブリ２２の第２のレール３２及び第３のレール３４は第１のレール３０に対してそれぞれ伸長状態にある。第１のスライドレールアセンブリ２２は保持部材７２及び接続ベース７４をさらに含むことが好ましい。保持部材７２は第１のスライドレールアセンブリ２２の第２のレール３２に固定取り付けされ且つ隣接する。他方、接続ベース７４は保持部材７２の底部に固定されている。したがって、保持部材７２及び接続ベース７４のそれぞれは第１のスライドレールアセンブリ２２の第２のレール３２の一部として見なすことができる。
【００２９】
接続ベース７４は係合解除部（disengaging  part）７４ａ及び係合部７４ｂを含む。本実施形態では、係合解除部７４ａ及び係合部７４ｂは互いに連通したガイド溝である。さらに、係合解除部７４ａは長手方向に配置され、係合部７４ｂは係合解除部７４ａに対して屈曲されている（図１１を参照されたい）。
【００３０】
さらに、第１のスライドレールアセンブリ２２は第１のオープン機構をさらに含む。第１のオープン機構は弾性部材７８と、弾性部材７８を一時的に固定するように構成されたロック部材８０とを含む。第１のオープン機構のロック部材８０は、接続ベース７４の係合部７４ｂを介して第１のオープン機構の弾性部材７８を固定するように構成されており、第１のオープン機構のロック部材８０は接続ベース７４の係合解除部７４ａを介して第１のオープン機構の弾性部材７８を解放するように構成されている。
【００３１】
接続ベース７４には空間Ｓが形成され、第１のスライドレールアセンブリ２２はスライドレール部８２をさらに含むことが好ましい。スライドレール部８２は接続ベース７４の空間Ｓ内に収容される。スライドレール部８２及び接続ベース７４は空間Ｓを介して互いに対して長手方向に移動可能である。第１のスライドレールアセンブリ２２はスライドレール部８２に接続（例えば固定接続）され、スライドレール部８２の一部として見なすことができるカバー部材８２ａをさらに含むことが好ましい。ロック部材８０はスライドレール部８２とカバー部材８２ａとの間で可動に配置される（図１３も参照されたい）。ロック部材８０は第１の脚８０ａ及び第２の脚８０ｂを含む。第１の脚８０ａはスライドレール部８２に枢結され、第２の脚８０ｂは接続ベース７４の係合部７４ｂと係合するように構成されている（図１１も参照されたい）。第２の脚８０ｂが接続ベース７４の係合部７４ｂと係合している場合、ロック部材８０は弾性部材７８に弾性力を蓄積させるために弾性部材７８を固定するように構成されている。第２の脚８０ｂが接続ベース７４の係合部７４ｂから外れて接続ベース７４の係合解除部７４ａに入ると、ロック部材８０は弾性部材７８が弾性力を放つことができるように弾性部材７８を解放するように構成されている。第１のスライドレールアセンブリ２２は可動部材８４をさらに含むことが好ましい。可動部材８４及び保持部材７２は互いに対して長手方向に移動でき、可動部材８４は保持部材７２の底部に配置される。可動部材８４及び保持部材７２は、突起８６及び囲まれた長手方向に細長い孔（bounded  longitudinal  elongated  hole）８８の配置を通じて限られた範囲内で互いに対して移動可能であることが好ましい。突起８６は長手方向に細長い孔８８の一部を貫通する。弾性部材７８は可動部材８４と接続ベース７４との間に配置されることが好ましい。本実施形態では、弾性部材７８はバネであり、バネの２つの端部はそれぞれ可動部材８４及び接続ベース７４に接続されるが、本発明はこのような構成に限定されない。
【００３２】
加えて、カバー部材８２ａは補助部材９０を備え、補助部材９０は第１の接触部９０ａを含む。第１の同期装置３６のベース４２の第１の部分４２ａは少なくとも１つの係合部９２を含むことが好ましい。少なくとも１つの第１の係合部９２は、第１の同期装置３６を保持部材７２に取り外し可能に取り付けることができるように、第１のスライドレールアセンブリ２２の第２のレール３２の保持部材７２の少なくとも１つの第２の係合部９４と係合するように構成されている（図１０及び図１２も参照されたい）。即ち、第１の同期装置３６は第１のスライドレールアセンブリ２２の第２のレール３２に取り外し可能に取り付けることができる。同様に、第２の同期装置２００は第２のスライドレールアセンブリ２４の第２のレール３２に取り外し可能に取り付けることができる。
【００３３】
図１４に示すように、第２のスライドレールアセンブリ２４の構造上の構成は第１のスライドレールアセンブリ２２の構造上の構成と実質的に同一であるか又は対称的であり、第２の同期装置２００の構造上の構成は第１の同期装置３６の構造上の構成と実質的に同一であるか又は対称的である。同期ロッド３８は第１の同期装置３６と第２の同期装置２００との間で可動に配置される。第１のスライドレールアセンブリ２２は第１のオープン機構を含み、第２のスライドレールアセンブリ２４は第２のオープン機構を含む。第２のオープン機構の構造上の構成は第１のオープン機構の構造上の構成と実質的に同一であるか又は対称的である。例えば、第２のオープン機構は弾性部材２０２と、弾性部材２０２を一時的に固定するように構成されたロック部材２０４とを含む。弾性部材２０２とロック部材２０４との相互作用は、第１のオープン機構の弾性部材７８とロック部材８０との間の相互作用と同一であるため、簡略化のためにさらなる説明を省略する。
【００３４】
さらに、第１のスライドレールアセンブリ２２及び第２のスライドレールアセンブリ２４の第２のレール３２は、第１のレール３０に対して引っ込め位置Ｒに位置している。第１の同期装置３６及び第２の同期装置２００の関連部品は初期状態にある。初期状態にある第１の同期装置３６を示す図１５を参照されたい。さらに、第１のオープン機構のロック部材８０の第１の脚８０ａはスライドレール部８２に枢結され、ロック部材８０は、弾性部材７８を固定して弾性部材７８が弾性力を蓄積することができるように、ロック部材８０の第２の脚８０ｂが接続ベース７４の係合部７４ｂと係合するように構成されている。同様に、第２のスライドレールアセンブリ２４のロック部材２０４は（図１４に示すように）弾性部材２０２を固定するように構成されている。加えて、図１５に示すように、第１のスライドレールアセンブリ２２及び第２のスライドレールアセンブリ２４の第２のレール３２が第１のレール３０に対して引っ込め位置Ｒに位置する場合、第１の同期装置３６の作動部材４４の第２の接触部４４ａは補助部材９０の第１の接触部９０ａの一方側に対応する位置に位置している。作動部材４４は第１の所定の位置に位置している。補助部材９０の第１の接触部９０ａ及び作動部材４４の第２の接触部４４ａのうちの少なくとも一方は傾斜面又は弧面を有することが好ましい。本実施形態では、第１の接触部９０ａ及び第２の接触部４４ａのそれぞれが傾斜面を有しているが、本発明は係る構成に限定されない。
【００３５】
図１６に示すように、可動部材８４は保持部材７２に対して第１のレール３０の伸長ベース３０ａの係合部と一時的に係合する。そのような構成は当業者に周知であるため、簡略化のためにさらなる説明を省略する。加えて、突起８６は図１６に示していない。
【００３６】
図１６、図１７及び図１８に示すように、ユーザーが第１の方向Ｄ１に沿って押圧力Ｆ１を第１のスライドレールアセンブリ２２の第２のレール３２に加えて第１のスライドレールアセンブリ２２の第２のレール３２を第１のスライドレールアセンブリ２２の第１のレール３０に対して引っ込め位置Ｒから過剰押込位置Ｘに第１の方向Ｄ１（例えば閉じる方向）に沿って動かすと、接続ベース７４も第１の方向Ｄ１に沿って動かされる。したがて、第１のオープン機構のロック部材８０は、接続ベース７４の係合部７４ｂから第２の脚８０ｂを外し、第２の脚８０ｂが接続ベース７４の係合解除部７４ａにさらに入るようロック部材８０が第１の脚８０ａを介して回転されるように、第２の脚８０ｂを介して接続ベース７４により駆動されるように構成されている。そのため、第１のオープン機構のロック部材８０は第１のオープン機構の弾性部材７８を解放する。他方、第１のスライドレールアセンブリ２２の第２のレール３２を第１のスライドレールアセンブリ２２の第１のレール３０に対して引っ込め位置Ｒから過剰押込位置Ｘに第１の方向Ｄ１に沿って動かすプロセスの間、作動部材４４の第２の接触部４４ａは、作用力に対応して作動部材４４が駆動部材４０に対して第１の所定の位置から第２の所定の位置に第１の横方向Ｔ１に沿って移動するように、補助部材９０の第１の接触部９０ａと接触して作用力を生成し、作動部材４４の第２の接触部４４ａ及び補助部材９０の第１の接触部９０ａが交差する。その間、第１の弾性部材４６は（図１７に示すように）弾性力を蓄積する。第１のスライドレールアセンブリ２２の第２のレール３２が第１のスライドレールアセンブリ２２の第１のレール３０に対して過剰押込位置Ｘに位置する場合（図１８では、接続ベース７４が対応して位置Ｘ１に位置する）、作動部材４４の第２の接触部４４ａは（図１８に示すように）補助部材９０の第１の接触部９０ａの他方側に位置するように完全に補助部材９０の第１の接触部９０ａを横断する。加えて、第１の弾性部材４６は、第１の弾性部材４６の弾性力に対応して作動部材４４が第２の所定の位置から（図１８に示す）第１の所定の位置に第２の横方向Ｔ２（第１の横方向Ｔ１と反対の方向）に沿って戻るように弾性力を放つように構成されている。その間、作動部材４４の第２の接触部４４ａは補助部材９０の第１の接触部９０ａの他方側に対応する位置に位置する。さらに、第１のスライドレールアセンブリ２２の第２のレール３２が第１のスライドレールアセンブリ２２の第１のレール３０に対して過剰押込位置Ｘに位置する場合、第２の同期装置２００の関連部品はまだ初期状態にある。
【００３７】
図１９に示すように、ユーザーが第１のスライドレールアセンブリ２２の第２のレール３２に対して第１の方向Ｄ１に沿って押圧力Ｆ１を加えるのを止めると、第１のオープン機構の弾性部材７８は、第１のスライドレールアセンブリ２２の第２のレール３２を駆動して第１のスライドレールアセンブリ２２の第１のレール３０に対して過剰押込位置Ｘから第２の方向Ｄ２に沿って動かすために、第２の方向Ｄ２（第１の方向と反対の方向、例えば開く方向）に沿って第１の弾性力を即座に放つ。
【００３８】
図１９、図２０及び図２１に示すように、第１のスライドレールアセンブリ２２の第２のレール３２が第２の方向Ｄ２に沿って過剰押込位置Ｘから所定の距離動かされると、第１の同期装置３６の駆動部材４０は、第２のスライドレールアセンブリ２４の第２のレール３２を第２のスライドレールアセンブリ２４の第１のレール３０に対して第２の方向Ｄ２に沿って駆動するための第２の弾性力を第２のオープン機構の弾性部材２０２が放つように第２のオープン機構のロック部材２０４が（図２０に示すように）第２のオープン機構の弾性部材２０２を解放するように同期ロッド３８を介して第２の同期装置２００の作用部材２０６をさらに駆動するために駆動される。
【００３９】
具体的には、第１のスライドレールアセンブリ２２の第２のレール３２が第２の方向Ｄ２に沿って過剰押込位置Ｘから所定の距離動かされた場合、第１の所定の位置にある作動部材４４の第２の接触部４４ａは、第１の同期装置３６の駆動部材４０が初期状態から（図２０に示すように）回転方向Ｃに沿って回転して第１の同期装置３６のスリーブ５４及び同期ロッド３８を駆動させ所定の回転方向Ｋに沿って対応して回転させるために力（例えば図８に示す力Ｆ）を生成するため補助部材９０の第１の接触部９０ａを押すように構成されている。そのため、同期ロッド３８の第２の端部３８ｂは第２の同期装置２００の作用部材２０６をさらに駆動して第２の同期装置２００のスリーブ２０８の第１の区画Ｗ１を介して回転するように構成されている。それにより、第２のオープン機構のロック部材２０４が駆動されてロック部材２０４の第２の脚２０４ｂを第２のスライドレールアセンブリ２４の接続ベース２１０の係合部２１０ｂから遠ざけるように動かし、第２の脚２０４ｂは接続ベース２１０の係合解除部２１０ａにさらに入って、第２のオープン機構の弾性部材２０２が第２のスライドレールアセンブリ２４の第２のレール３２を駆動して第１のスライドレールアセンブリ２２の第２のレール３２と共に第２の方向Ｄ２に沿って動かすために第２の弾性力を放つように第２のオープン機構のロック部材２０４に第２のオープン機構の弾性部材を解放させる。
【００４０】
さらに、本発明はスライドレールアセンブリ２２、２４のための駆動方法をさらに提供する。駆動方法は前述の実施形態に開示されているため、簡略化のためにさらなる説明を省略する。
【００４１】
したがって、本発明の実施形態に係る同期システム、同期装置及び駆動方法は以下のように特徴付けることができる。
【００４２】
１）従来技術とは異なり、第１のスライドレールアセンブリ２２の第２のレール３２を駆動して引っ込め位置Ｒから過剰押込位置Ｘに動かすためにユーザーが第１のスライドレールアセンブリ２２の第２のレール３２に押圧力を加えた場合に、本発明の実施形態の第２のスライドレールアセンブリ２４の第２のレール３２は第１のスライドレールアセンブリ２２の第２のレール３２よりも先に開くように構成されていない。さらに、ユーザーが押圧力Ｆ１を加えるのを止めた場合、過剰押込位置Ｘにあるスライドレールアセンブリ２２の第２のレール３２は、第１のオープン機構の弾性部材７８の第１の弾性力に対応して第２の方向Ｄ２に沿って所定の距離移動するように開く。そのため、第２の同期装置２００の関連部品をさらに駆動させるために同期ロッド３８が第１の同期装置３６の駆動部材４０により駆動され、第２のオープン機構のロック部材２０４は、第２のスライドレールアセンブリ２４の第２のレール３２を第２の方向Ｄ２に沿って動かすために第２のオープン機構の弾性部材２０２が第２の弾性力を放つように第２のオープン機構の弾性部材２０２を解放する。そのような駆動方法によれば、第１のスライドレールアセンブリ２２の第２のレール３２及び第２のスライドレールアセンブリ２４の第２のレール３２は確実に且つ同期的に第２の方向Ｄ２に沿って開くことができる。そのため、先行技術の第２のスライドレールアセンブリの可動レールのように、ユーザーによって押される第１のスライドレールアセンブリの可動レールに対して開く方向に沿って先に開くのを防止できる。加えて、本発明の実施形態の駆動方法は、第１のスライドレールアセンブリの可動レールがユーザーに押され、それにより第２のスライドレールアセンブリの弾性部材が駆動され、第２のスライドレールアセンブリの可動レールを駆動するために弾性力を放つ場合に生じる予期しない騒音を防止することもできる。
【００４３】
２）要件に応じてユーザーが同期装置３６、２００を追加で設置することができるように同期装置３６、２００は取り外し可能な部品として設計することができる。
【００４４】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００４５】
２０  家具システム
２２  第１のスライドレールアセンブリ
２４  第２のスライドレールアセンブリ
２６  第１の家具部
２８  第２の家具部
３０  第１のレール
３２  第２のレール
３４  第３のレール
３６  第１の同期装置
３８  同期ロッド
４０  駆動部材
４２  ベース
４４  作動部材
４６  第１の弾性部材
４８  第２の弾性部材
５０  筐体
５２  取り付けベース
５４  スリーブ
５６  作用部材
５８  第１のシャフト部材
６０  第１の接続部
６２  第２の接続部
６４  少なくとも１つの接続部材
６６  空間
６８  第２のシャフト部材
７０  ブロック部
７２  保持部材
７４  接続ベース
２００  第２の同期装置
【図１】
2020192306.tif 000003
【図２】
2020192306.tif 000004
【図３】
2020192306.tif 000005
【図４】
2020192306.tif 000006
【図５】
2020192306.tif 000007
【図６】
2020192306.tif 000008
【図７】
2020192306.tif 000009
【図８】
2020192306.tif 000010
【図９】
2020192306.tif 000011
【図１０】
2020192306.tif 000012
【図１１】
2020192306.tif 000013
【図１２】
2020192306.tif 000014
【図１３】
2020192306.tif 000015
【図１４】
2020192306.tif 000016
【図１５】
2020192306.tif 000017
【図１６】
2020192306.tif 000018
【図１７】
2020192306.tif 000019
【図１８】
2020192306.tif 000020
【図１９】
2020192306.tif 000021
【図２０】
2020192306.tif 000022
【図２１】
2020192306.tif 000023